(57)【要約】【課題】ダクト自体の振動に起因するひび割れを抑制することができるとともに、断熱材の合わせ目や継ぎ目にテープを貼り付ける手間を省くことができる空調ダクトを提供する。【解決手段】屋外に設置される空調ダクト１０であって、角形のダクト本体１１と、ダクト本体１１の外面１１ａを覆う発泡ゴム製の断熱材１７と、断熱材１７の外面を覆うシリコーン樹脂膜１８と、を備える。【選択図】図２
2020169752.tif 000002
【特許請求の範囲】
【請求項１】
屋外に設置される空調ダクトであって、
角形のダクト本体と、
前記ダクト本体の外面を覆う発泡ゴム製の断熱材と、
前記断熱材の外面を覆うシリコーン樹脂膜と、
を備える空調ダクト。
【請求項２】
前記ダクト本体の上部に、前記シリコーン樹脂膜を覆う状態で保護板が取り付けられている
請求項１に記載の空調ダクト。
【請求項３】
前記シリコーン樹脂膜は、アクリル樹脂を含有する膜である
請求項１または２に記載の空調ダクト。
【請求項４】
屋外に設置される空調ダクトの施工方法であって、
角形のダクト本体の外面に発泡ゴム製の断熱材を貼り付けることにより、前記ダクト本体の外面を前記断熱材によって覆う工程と、
前記断熱材の外面にシリコーンコーティング材を塗布することにより、前記断熱材の外面をシリコーン樹脂膜によって覆う工程と、
を含む空調ダクトの施工方法。
【発明の詳細な説明】
【技術分野】
【０００１】
本発明は、空調ダクトに関し、特に、屋外に設置される空調ダクトに関する。
【背景技術】
【０００２】
空調用設備の一つに空調ダクトがある。空調ダクトは、暖かい空気や冷たい空気を流すために用いられる。空調ダクトには、熱損失や結露を防ぐために断熱材が設けられることが多い。たとえば、特許文献１には、グラスウールなどのマット状繊維質保温材を主材とし、この保温材の一面に固着面外被材を、他面に化粧面外被材を貼着してなる空調ダクト用断熱材が記載されている。また、特許文献１には、角形のダクト本体に接着剤を用いて固着面外被材を貼り付けるとともに、固着面外被材の外側にマット状繊維質保温材と化粧面外被材とを積層し、空調ダクト用断熱材の合わせ目や繋ぎ目を目貼りテープで留めた構成が記載されている。
【先行技術文献】
【特許文献】
【０００３】
【特許文献１】特開２０００−１７１０８５号公報
【発明の概要】
【発明が解決しようとする課題】
【０００４】
しかしながら、特許文献１に記載の技術では、アルミ粘着テープやアルミガラスクロス粘着テープなどの目貼りテープを使って断熱材の合わせ目や繋ぎ目を塞いでいるため、空調ダクトの振動に起因して目貼りテープの貼り付け部分にひび割れが生じやすいという欠点があった。また、断熱材の合わせ面や繋ぎ目ごとに目貼りテープを貼り付ける必要があるため、施工に手間がかかるという欠点もあった。
【０００５】
本発明は、上記課題を解決するためになされたもので、その目的は、ダクト自体の振動に起因するひび割れを抑制することができるとともに、断熱材の合わせ目や継ぎ目にテープを貼り付ける手間を省くことができる空調ダクトとその施工方法を提供することにある。
【課題を解決するための手段】
【０００６】
本発明は、屋外に設置される空調ダクトであって、角形のダクト本体と、ダクト本体の外面を覆う発泡ゴム製の断熱材と、断熱材の外面を覆うシリコーン樹脂膜と、を備える。
【０００７】
本発明に係る空調ダクトにおいては、ダクト本体の上部に、シリコーン樹脂膜を覆う状態で保護板が取り付けられていてもよい。
【０００８】
本発明に係る空調ダクトにおいて、シリコーン樹脂膜は、アクリル樹脂を含有する膜であってもよい。
【０００９】
本発明は、屋外に設置される空調ダクトの施工方法であって、角形のダクト本体の外面に発泡ゴム製の断熱材を貼り付けることにより、ダクト本体の外面を断熱材によって覆う工程と、断熱材の外面にシリコーンコーティング材を塗布することにより、断熱材の外面をシリコーン樹脂膜によって覆う工程と、を含む。
【発明の効果】
【００１０】
本発明によれば、ダクト自体の振動に起因するひび割れを抑制することができるとともに、断熱材の合わせ目や継ぎ目にテープを貼り付ける手間を省くことができる。
【図面の簡単な説明】
【００１１】
【図１】本発明の第１実施形態に係る空調ダクトの縦断面図である。
【図２】図１の空調ダクトのＩＩ−ＩＩ断面図である。
【図３】本発明の第２実施形態に係る空調ダクトの縦断面図である。
【図４】図３の空調ダクトのＩＶ−ＩＶ断面図である。
【図５】、図４のＡ部を拡大した図である。
【発明を実施するための形態】
【００１２】
以下、本発明の実施形態について図面を参照して詳細に説明する。
【００１３】
（第１実施形態）
図１は、本発明の第１実施形態に係る空調ダクトの縦断面図であり、図２は、図１の空調ダクトのＩＩ−ＩＩ断面図である。
図１および図２に示すように、空調ダクト１０は、角形のダクト本体１１を備えている。角形のダクト本体とは、ダクト内が中空になっていて、ダクト中心軸Ｃ（図１参照）と直交する方向にダクト本体を断面したときの開口形状が多角形であるものをいう。本第１実施形態において、ダクト中心軸Ｃと直交する方向にダクト本体１１を断面したときの開口形状が図２に示すように四角形になっている。
【００１４】
空調ダクト１０は、屋外に設置して用いられるものである。ダクト本体１１は、耐候性を有する金属製の板によって構成されている。耐候性を有する金属製の板としては、たとえば、亜鉛メッキ鋼板、ガルバニウム鋼板、ステンレス鋼板、高耐食性メッキ鋼板などを挙げることができる。
【００１５】
ダクト本体１１の端部にはフランジ部１２が一体に形成されている。空調ダクト１０は、複数のダクト本体１１を継手部分１３で連結することにより、互いに連通する空気流路１４を形成している。継手部分１３では、フランジ部１２同士を軸線Ｊの位置で突き合わせた状態でダクト本体１１が連結されている。空気流路１４は、空調用の空気や換気用の空気などを流すための流路であって、ダクト本体１１の内面１１ｂによって区画されている。
【００１６】
一方、ダクト本体１１の外面１１ａには接着層１６を介して断熱材１７が貼り付けられている。接着層１６は接着剤によって形成されるもので、この接着剤の接着力によってダクト本体１１の外面１１ａに断熱材１７が貼り付けられている。断熱材１７は、空気流路１４を暖かい空気や冷たい空気が流れるときの熱損失および結露を防ぐために、ダクト本体１１の外面１１ａを覆っている。断熱材１７は、発泡ゴム製の断熱材である。発泡ゴムは、断熱性および弾性が高いという性質を有するとともに、透湿性および保水性が低いという性質を有する。断熱材１７を構成する発泡ゴムとしては、たとえば、ニトリルゴム系のゴムスポンジを挙げることができる。また、接着層１６を形成する接着剤としては、たとえば、湿気硬化形接着剤、触媒添加形接着剤、嫌気形接着剤を挙げることができる。接着剤の具体例としては、コニシ株式会社製のスーパーＧライト（商品名）、アイカ工業株式会社製のエコエコボンド（登録商標）を挙げることができる。
【００１７】
断熱材１７は、図２に示すように、ダクト本体１１の外周を４つの断熱材１７−１，１７−２，１７−３，１７−４で囲むように配置されている。４つの断熱材１７−１，１７−２，１７−３，１７−４のうち、断熱材１７−１，１７−４はダクト本体１１の上下の２辺に対応して配置され、断熱材１７−２，１７−３はダクト本体１１の左右の２辺に対応して配置されている。これにより、ダクト本体１１の外面１１ａは、４つの断熱材１７−１，１７−２，１７−３，１７−４によって隙間なく覆われている。また、断熱材１７は、ダクト本体１１のフランジ部１２を覆うように、継手部分１３にも設けられている。
【００１８】
断熱材１７の外面１７ａはシリコーン樹脂膜１８によって覆われている。シリコーン樹脂膜１８は、シリコーンを主原料とする塗布膜である。本第１実施形態において、シリコーン樹脂膜１８は、シリコーンを主原料とし、このシリコーンの配合率が１００％またはそれに近いシリコーンコーティング材を用いて形成されている。シリコーン樹脂膜１８は、断熱材１７の外面１７ａをすべて覆っている。
【００１９】
シリコーン樹脂膜１８は、断熱材１７を保護するための膜であって、耐久性、耐紫外線性、耐熱性、耐低温性、防水性、撥水性、透湿性および弾性を有する。シリコーン樹脂膜１８の耐久性は、シリコーン樹脂膜１８の性能を長期間維持にわたって維持する効果を奏する。シリコーン樹脂膜１８の耐紫外線性は、紫外線による断熱材１７の劣化を抑制する効果を奏する。シリコーン樹脂膜１８の耐熱性および耐低温性は、温度の変化に対してシリコーン樹脂膜１８の機能を維持する効果を奏する。シリコーン樹脂膜１８の防水性および撥水性は、断熱材１７への浸水を抑制する効果を奏する。シリコーン樹脂膜１８の透湿性は、シリコーン樹脂膜１８の剥がれを抑制する効果を奏する。シリコーン樹脂膜１８の弾性は、断熱材１７に対するシリコーン樹脂膜１８の付着性を高める効果と、シリコーン樹脂膜１８のひび割れを抑制する効果とを奏する。
【００２０】
続いて、本発明の第１実施形態に係る空調ダクトの施工方法について説明する。
まず、空調ダクトの設置場所へとダクト本体１１を搬送する前、または搬送した後に、ダクト本体１１の外面１１ａに接着層１６を介して断熱材１７を貼り付ける。これにより、ダクト本体１１の外面１１ａを断熱材１７によって覆う。このとき、発泡ゴム製の断熱材１７を用いれば、発泡ゴム自体の弾性により、ダクト本体１１の外面１１ａに接着層１６を介して断熱材１７を隙間なく密着させることができる。このため、断熱材１７による結露抑制の効果を高めることができる。
【００２１】
次に、空調ダクトの設置場所において、断熱材１７付きのダクト本体１１を所定の位置に取り付ける。たとえば、空調ダクトの設置場所にダクト取付用の架台（図示せず）が設置されている場合は、この架台にダクト本体１１を取り付ける。このとき、複数のダクト本体１１を継手部分１３で連結させることにより、所定の長さを有する空気流路１４を形成する。また、継手部分１３にも断熱材１７を貼り付けておく。
【００２２】
次に、断熱材１７の外面１７ａにシリコーンコーティング材を塗布することにより、断熱材１７の外面１７ａをシリコーン樹脂膜１８によって覆う。シリコーンコーティング材の塗布方法としては、たとえば、スプレーガンを用いて塗る方法、刷毛を用いて塗る方法、または、ローラを用いて塗る方法を挙げることができる。また、ここで挙げた３つの塗布方法のうち少なくとも２つの塗布方法を併用することもできる。
以上で、空調ダクト１０の施工が完了する。
【００２３】
本発明の第１実施形態に係る空調ダクト１０においては、ダクト本体１１の外面１１ａを発泡ゴム製の断熱材１７によって覆い、さらにその断熱材１７の外面１７ａをシリコーン樹脂膜１８によって覆う構成を採用している。これにより、空調ダクト１０が振動した場合に、この振動に追従してシリコーン樹脂膜１８が伸縮する。このため、空調ダクト１０自体の振動に起因するひび割れを抑制することができる。また、断熱材１７の外面１７ａをシリコーン樹脂膜１８で覆うことにより、断熱材１７の合わせ目や継ぎ目にテープを貼り付ける必要がない。このため、貼り付けの手間を省くことができる。
【００２４】
なお、本第１実施形態においては、断熱材１７付きのダクト本体１１を取り付けた後に、断熱材１７の外面１７ａにシリコーンコーティング材を塗布してシリコーン樹脂膜１８を形成することとしたが、シリコーンコーティング材の塗布を複数回に分けて行ってもよい。たとえば、ダクト本体１１を取り付けた後ではシリコーンコーティング材の塗布が困難な部分が存在する場合は、ダクト本体１１を取り付ける前にその部分にシリコーンコーティング材を塗布し、ダクト本体１１を取り付けた後に残りの部分にシリコーンコーティング材を塗布してもよい。
【００２５】
（第２実施形態）
続いて、本発明の第２実施形態について説明する。本第２実施形態においては、上記第１実施形態の場合と同様の部分、または、対応する部分に同じ符号を付し、重複する説明は省略する。
【００２６】
図３は、本発明の第２実施形態に係る空調ダクトの縦断面図である。また、図４は、図３の空調ダクトのＩＶ−ＩＶ断面図であり、図５は、図４のＡ部を拡大した図である。
図３〜図５に示すように、ダクト本体１１の上部には、継手部分１３を含めて、保護板２１が取り付けられている。保護板２１は、シリコーン樹脂膜１８を覆う状態でダクト本体１１の上部に取り付けられている。保護板２１は、好ましくは、金属製の板によって構成される。具体的には、保護板２１は、たとえば、厚さが０．３ｍｍ以上０．４ｍｍ以下のカラー鉄板によって構成される。カラー鉄板は、亜鉛鉄板の表面に塗料を塗布して色付けしたものである。
【００２７】
保護板２１は、図４に示すように、天板部２１ａと、２つの側板部２１ｂとを一体に備えている。２つの側板部２１ｂは、それぞれ天板部２１ａとの境界で直角に曲げられている。また、２つの側板部２１ｂは、それぞれネジ２４を用いて固定されている。本第２実施形態において、ネジ２４は、図５に示すように、ネジ部２４ａとドリル部２４ｂとを一体に有するテックスビスによって構成されている。また、ネジ２４には、山座金２８と、ゴム製のパッキン２９とが付属している。ネジ２４のネジ部２４ａは、シリコーン樹脂膜１８、断熱材１７、接着層１６およびダクト本体１１にねじ込まれている。ネジ２４のドリル部２４ｂは、ダクト本体１１の内面１１ｂから空気流路１４側に突き出している。また、ドリル部２４ｂは樹脂層２５によって覆われている。本第２実施形態においては、樹脂層２５がシリコーン樹脂膜１８と同じ材質、すなわちシリコーン樹脂によって構成されている。
【００２８】
空調ダクト１０を施工する場合は、断熱材１７の外面１７ａをシリコーン樹脂膜１８により覆った後で、保護板２１をネジ２４を用いて取り付ける。その際、ネジ２４を締め付けると、ゴム製のパッキン２９が側板部２１ｂの外面に密着する。このため、ネジ２４を用いて保護板２１を取り付けた状態では、パッキン２９によって防水性が保持される。また、図３に示すように、空調ダクト１０の継手部分１３にはコーキング材２６が塗布される。コーキング材２６は、防水を目的として保護板２１の継ぎ目に塗布される。
【００２９】
本発明の第２実施形態に係る空調ダクト１０においては、ダクト本体１１の上部にシリコーン樹脂膜１８を覆うように保護板２１を取り付けた構成を採用している。これにより、ダクト本体１１の上部において、断熱材１７およびシリコーン樹脂膜１８が保護板２１によって保護される。このため、空調ダクト１０の天井部分に落下物などが衝突した場合に、衝突による衝撃を保護板２１で受けることにより、断熱材１７のダメージを低減することができる。また、空調ダクト１０の施工を完了した後、空調ダクト１０の上に重量物が乗る可能性がある場合に、重量物の重さを保護板２１で受けることにより、断熱材１７の座屈を抑制することができる。空調ダクト１０の上に乗る可能性がある重量物には作業員が含まれる。
【００３０】
なお、上記第１実施形態および第２実施形態においては、シリコーンの純度が高いシリコーン樹脂膜１８によって断熱材１７の外面１７ａを覆うようにしたが、シリコーンの純度が高いとシリコーン樹脂膜１８の表面が汚れやすいという難点がある。この対策として、シリコーン樹脂膜１８は、アクリル樹脂を含有する膜によって構成してもよい。アクリル樹脂を含有するシリコーン樹脂膜１８を採用した場合は、シリコーン樹脂膜１８の表面に汚れが付きにくくなる。このため、空調ダクト１０の美観を維持することができる。
【符号の説明】
【００３１】
１０  空調ダクト、１１  ダクト本体、１１ａ  外面、１７  断熱材、１７ａ  外面、１８  シリコーン樹脂膜、２１  保護板。
【図１】
2020169752.tif 000003
【図２】
2020169752.tif 000004
【図３】
2020169752.tif 000005
【図４】
2020169752.tif 000006
【図５】
2020169752.tif 000007